(57)【要約】      （修正有）【課題】構造が簡単で、左右の躯体間の近接を最小限近傍に設定することができ、安価で設置が容易で、風によるバタつきを効率よく阻止できる目地装置を得る。【解決手段】一方の目地部側壁面３ａに後端部がヒンジ部材４を介して枢支され先端部が水平方向に回動可能で通常時には傾斜状態で他方の目地部側壁面に当接する少なくとも２個以上の支持アーム６と、この支持アーム６のほぼ中央部に支持された上部に山形状の棟部材７を有する支持体８と、上端部が上下方向に回動できるように下端部が枢支され上端部が支持体の一方の目地部側壁面側の棟部材７に枢支された一方の目地プレート１０と、支持アーム６の先端部にスライド移動可能に支持されたガイドレール1２と、このガイドレール1２に上端部が上下方向に回動できるように下端部が枢支され上端部が支持体の他方の目地部側壁面側の棟部材７に枢支された他方の目地プレート1３とで目地装置を構成する。【選択図】図３
2006169904.tif 000002
【特許請求の範囲】
【請求項１】
目地部を介して設けられた左右の躯体の一方の目地部側壁面に後端部がヒンジ部材を介して枢支され、先端部が水平方向に回動可能で、通常時には傾斜状態で他方の目地部側壁面に当接する少なくとも２個以上の支持アームと、この少なくとも２個以上の支持アームのほぼ中央部に支持された上部に山形状の棟部材を有する支持体と、前記少なくとも２個以上の支持アームの上部の一方の目地部側壁面に上端部が上下方向に回動できるように下端部が枢支され、上端部が前記支持体の一方の目地部側壁面側の棟部材に枢支された一方の目地プレートと、前記少なくとも２個以上の支持アームの先端部にスライド移動可能に支持されたガイドレールと、このガイドレールに上端部が上下方向に回動できるように下端部が枢支され、上端部が前記支持体の他方の目地部側壁面側の棟部材に枢支された他方の目地プレートとを備えることを特徴とする目地装置。
【請求項２】
目地部を介して設けられた左右の躯体の一方の目地部側壁面に後端部がヒンジ部材を介して枢支され、先端部が水平方向に回動可能で、通常時には傾斜状態で他方の目地部側壁面に当接する少なくとも２個以上の支持アームと、この少なくとも２個以上の支持アームのほぼ中央部に支持された上部に山形状の棟部材を有する支持体と、前記少なくとも２個以上の支持アームの上部の一方の目地部側壁面に上端部が上下方向に回動できるように下端部が枢支され、上端部が前記支持体の一方の目地部側壁面側の棟部材に枢支された一方の目地プレートと、前記少なくとも２個以上の支持アームの先端部にスライド移動可能に支持されたガイドレールと、このガイドレールに上端部が上下方向に回動できるように下端部が枢支され、上端部が前記支持体の他方の目地部側壁面側の棟部材に枢支された他方の目地プレートと、前記支持体を常時前記少なくとも２個以上の支持アームに、付勢状態で支持させるように一端部が該支持体の下部を除く部位に取付けられ、他端部が一方の目地部側壁面あるいは少なくとも２個以上の後端部および、前記ガイドレールに取付けられた付勢スプリングとを備えることを特徴とする目地装置。
【請求項３】
目地部を介して設けられた左右の躯体の一方の目地部側壁面に後端部がヒンジ部材を介して枢支され、先端部が水平方向に回動可能で、通常時には傾斜状態で他方の目地部側壁面に当接する少なくとも２個以上の支持アームと、この少なくとも２個以上の支持アームの上部に通常時には目地プレートを支持する目地プレート支持部、この目地プレート支持部のほぼ中央部に回動可能に取り付けられた上端部の目地プレートを支持する山形状の棟部材を有する支持体と、前記少なくとも２個以上の支持アームの上部の一方の目地部側壁面に上端部が上下方向に回動できるように下端部が枢支され、上端部が前記支持体の一方の目地部側壁面側の棟部材に枢支された一方の目地プレートと、前記少なくとも２個以上の支持アームの先端部にスライド移動可能に支持されたガイドレールと、このガイドレールに上端部が上下方向に回動できるように下端部が枢支され、上端部が前記支持体の他方の目地部側壁面側の棟部材に枢支された他方の目地プレートとを備えることを特徴とする目地装置。
【発明の詳細な説明】
【技術分野】
【０００１】
本発明は目地部を介して設けられた左右の躯体の壁面間を覆う目地装置に関する。
【背景技術】
【０００２】
従来の目地装置は目地部が狭くなるように左右の躯体が揺れ動いた場合、該左右の躯体に後端部が枢支された左右の目地プレートが上方へ回動するように構成されている。
【０００３】
このように構成された目地装置は、左右の目地プレートが目地部が狭くなると上方へ回動させるため、常時遊端部が上方に位置させる支持体を設けなければならず、構造が複雑になるとともに、支持体が目地部内に位置して左右の躯体間の近接を最小限まで可能にできないという欠点があった。
【特許文献１】特になし。
【発明の開示】
【発明が解決しようとする課題】
【０００４】
本発明は以上のような従来の欠点に鑑み、構造が簡単で、左右の躯体間の近接を最小限近傍に設定することができるとともに、屋根の形状で美観の向上を図ることができる安価で設置が容易で、風でバタついたりするのを効率よく阻止が可能な目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の躯体の一方の目地部側壁面に後端部がヒンジ部材を介して枢支され、先端部が水平方向に回動可能で、通常時には傾斜状態で他方の目地部側壁面に当接する少なくとも２個以上の支持アームと、この少なくとも２個以上の支持アームのほぼ中央部に支持された上部に山形状の棟部材を有する支持体と、前記少なくとも２個以上の支持アームの上部の一方の目地部側壁面に上端部が上下方向に回動できるように下端部が枢支され、上端部が前記支持体の一方の目地部側壁面側の棟部材に枢支された一方の目地プレートと、前記少なくとも２個以上の支持アームの先端部にスライド移動可能に支持されたガイドレールと、このガイドレールに上端部が上下方向に回動できるように下端部が枢支され、上端部が前記支持体の他方の目地部側壁面側の棟部材に枢支された他方の目地プレートとで目地装置を構成している。
【発明の効果】
【０００７】
以下の説明から明らかなように、本発明にあっては次に列挙する効果が得られる。
【０００８】
（１）左右の躯体の一方の目地部側壁面に後端部がヒンジ部材を介して枢支され、先端部が水平方向に回動可能で、通常時には傾斜状態で他方の目地部側壁面に当接する少なくとも２個以上の支持アームと、この少なくとも２個以上の支持アームのほぼ中央部に支持された上部に山形状の棟部材を有する支持体と、少なくとも２個以上の支持アームの上部の一方の目地部側壁面に上端部が上下方向に回動できるように下端部が枢支され上端部が支持体の一方の目地部側壁面側の棟部材に枢支された一方の目地プレートと、少なくとも２個以上の支持アームの先端部にスライド移動可能に支持されたガイドレールと、このガイドレールに上端部が上下方向に回動できるように下端部が枢支され、上端部が支持体の他方の目地部側壁面側の棟部材に枢支された他方の目地プレートとで構成されているので、上部に棟部材を有する支持体、一方の目地プレート、他方の目地プレートで、全体が山形形状にできる。
したがって、美観の向上を図ることができる。
【０００９】
（２）前記（１）によって、少なくとも２個以上の支持アームの回動および上部に棟部材を有する支持体の上方への移動によって、目地部が最小限近傍まで移動できるように設定することができるとともに、少なくとも２個以上のアームの水平方向の回動によって、支持体が上下移動して、一方の目地プレートと他方の目地プレートの傾斜角をかえて、目地部を覆うことができる。
【００１０】
（３）前記（１）によって、一方の目地プレートと他方の目地プレートの上端部は少なくとも２個以上の支持アームに支持された支持体に枢支されているため、荷重が一方の目地プレートや他方の目地プレートに加わっても、安全に支持することができ、損傷を防止することができる。
【００１１】
（４）前記（１）によって、構造が簡単で、容易に設置することができる。
【００１２】
（５）請求項２前記（１）〜（４）と同様の効果が得られるとともに、付勢スプリングによって、も風でバタつくのを効率よく阻止することができる。
【００１３】
（６）請求項３前記（１）〜（４）と同様の効果が得られるとともに、支持体の目地プレート支持部で一方・他方の目地プレートを支持することができ、該一方・他方の目地プレートに加重がかかる部位に最適に使用することができる。
【発明を実施するための最良の形態】
【００１４】
以下、図面に示す本発明を実施するための最良の形態により、本発明を詳細に説明する。
【００１５】
図１ないし図１０に示す本発明を実施するための最良の第１の形態において、１は目地部２を介して設けられた左右の躯体３、３間を山形状に覆う本発明の目地装置で、この目地装置１は前記左右の躯体３、３の一方の目地部側壁面３ａに後端部がヒンジ部材４を介して枢支され、ローラ５が取付けられた先端部が水平方向に回動可能で、通常時には傾斜状態で他方の目地部側壁面３ａに当接する少なくとも２個以上の支持アーム６、６と、この少なくとも２個以上の支持アーム６、６のほぼ中央部に支持された上部に山形状の棟部材７を有する支持体８と、前記少なくとも２個以上の支持アーム６、６の上部の一方の目地部側壁面３ａに取付金具９によって上端部が上下方向に回動できるように下端部が枢支され、上端部が前記支持体８の一方の目地部側壁面側の棟部材７に枢支された一方の目地プレート１０と、前記少なくとも２個以上の支持アーム６、６の先端部に上方へ突出させた支持杆１１、１１にスライド移動可能に支持されたガイドレール１２と、このガイドレール１２に上端部が上下方向に回動できるように下端部が枢支され、上端部が前記支持体８の他方の目地部側壁面側の棟部材７に枢支された他方の目地プレート１３と、前記少なくとも２個以上の支持アーム６、６の先端部が他方の目地部側壁面３ａに当接するように付勢するとともに、それ以上の回動を阻止するように取付けられた付勢スプリング１４、１４およびストッパー片１５、１５と、前記支持体８を常時前記少なくとも２個以上の支持アーム６、６に当接するように、付勢できるように一端部が該支持体８の下部を除く部位に取付けられ、他端部が取付金具９と前記ガイドレール１２に取付けられた付勢スプリング１６、１６とで構成されている。  
【００１６】
前記少なくとも２個以上の支持アーム６は、図４に示すように板状のアーム本体１７と、このアーム本体１７の後端部に枢支ピン１８を介して取付けられた一方の目地部側壁面３ａに複数本のビス１９で固定されるヒンジ部材４と、前記アーム本体１７の先端部のほぼ中央部に外方へ突出するように取付けられたローラ５と、前記アーム本体１７の先端部に上方へ突出するように固定された上端部にローラ２０が取付けられた支持杆１１とで構成されている。
【００１７】
前記支持体８は図５に示すように板状の支柱２１と、この支柱２１の下端部が逆Ｔ字状となるように一体形成された支持板２２と、前記支柱２１の上端部に一体形成された山形状の棟部材７と、この棟部材７の両端部寄りの底面に一体形成されたＣ字状の軸受２３、２３とで構成されている。
【００１８】
前記取付金具９は図６に示すように、クランク状に形成された取付金具本体２４と、この取付金具本体２４の下部の取付部２４ａに所定間隔で形成されたビス等２５で一方の目地部側壁面３ａに固定するためのビス等の挿入孔２６と、前記取付金具本体２４の上部に形成された玉縁形状の軸２７とで構成されている。
【００１９】
前記一方の目地プレート１０は図７に示すように、板状の目地プレート本体２８と、この目地プレート本体２８の下端部に一体形成された、前記取付金具９の軸２７と所定量回動可能に係合するＣ字状の軸受２９と、前記目地プレート本体２８の上端部に一体形成された、前記棟部材７の軸受２３と所定量回動可能に係合する玉縁形状の軸３０とで構成されている。
【００２０】
前記ガイドレール１２は図８に示すようにコ字状のガイドレール本体３１と、このガイドレール本体３１の上部より上方へ突出するように一体形成された玉縁形状の軸３２とで構成されている。
【００２１】
前記他方の目地プレート１３は前記一方の目地プレート１０と同一形状のものが使用されている。
【００２２】
上記構成の目地装置１は、通常時には左右の躯体３、３間の目地部２は図１および図３に示すように一方の目地プレート１０、棟部材７、他方の目地プレート１３によって山形状に覆われている。
【００２３】
地震等によって目地部２が狭くなるように揺れ動いた場合には、図９および図１０に示すように、少なくとも２個以上の支持アーム６、６が付勢スプリング１４、１４の付勢力に抗して回動するため、一方の目地プレート１０と他方の目地プレート１３の下端部間が狭くなるため、該一方の目地プレート１０と他方の目地プレート１３の上端部および支持体８は上方へ押し上げられ、支持体８の支持板２２あるいは棟部材７の幅寸法分までの揺れ動きを吸収する。
【００２４】
目地部２が広くなるように揺れ動いた場合には、図１１に示すように他方の目地部側壁面３ａが少なくとも２個以上の支持アーム６、６の先端部より離間して、その揺れ動きを吸収する。
この時、ストッパー片１５、１５によって、少なくとも２個以上の支持アーム６、６が他方の目地部側壁面３ａによって、元通りの回動ができるように直角あるいは鈍角にならないように停止されている。
［発明を実施するための異なる形態］
【００２５】
次に、図１２ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２６】
図１２ないし図１４に示す本発明を実施するための第２の形態において、前記本発明を実施するための最良の第１の形態と主に異なる点は、支持板２２と、この支持板２２の中央部に所定間隔で上方へ突出するように固定された複数本の棒状の支柱２１Ａと、この複数本の支柱２１Ａの上部に固定された棟部材７とからなる支持体８Ａを用いた点で、このような支持体８Ａを用いて構成した目地装置１Ａにしても、前記本発明を実施するための最良の第１の形態と同様な作用効果が得られる。
【００２７】
図１５ないし図１７に示す本発明を実施するための第３の形態において、前記本発明を実施するための第２の形態と主に異なる点は、先端部が常時上方へ突出するようにスプリング３３で付勢された可動支柱３４を備える複数本の支柱２１Ｂを使用した支持体８Ｂを用いた点で、このような支持体８Ｂを用いて構成した目地装置１Ｂにしても、前記本発明を実施するための第２の形態と同様な作用効果が得られる。
【００２８】
図１８ないし図２０に示す本発明を実施するための第４の形態において、前記本発明を実施するための最良の第１の形態と主に異なる点は、少なくとも２個以上の支持アーム６、６の後端部にヒンジ部材４Ａ、４Ａの一方を固定したものを用いるとともに、該ヒンジ部材４Ａ、４Ａの取付部近傍の一方の目地部側壁面３ａに少なくとも２個以上の支持アーム６、６が鋭角の角度が小さくなるように回動してきた場合に、元の位置へ戻すように押し圧することができる付勢スプリング１４Ａ、１４Ａを用いた点で、このように構成した目地装置１Ｃにしても、前記本発明を実施するための最良の第１の形態と同様な作用効果が得られる。
【００２９】
図２１ないし図２３に示す本発明を実施するための第５の形態において、前記本発明を実施するための最良の第１の形態と主に異なる点は、少なくとも２個以上の支持アーム６、６の上部に通常時には一方・他方の目地プレート１０,１３を支持する目地プレート支持部３５、この目地プレート支持部３５のほぼ中央部に回動可能に取り付けられた枢支ピン３６の上部に上端部の一方・他方の目地プレート１０,１３を支持する山形状の棟部材７を有する支持体８Ｃを使用した点で、このように形成された支持体８Ｃを用いて構成された目地装置１Ｄにしても、前記本発明を実施するための最良の第１の形態と同様な作用効果が得られるとともに、通常時は支持体８Ｃの目地プレート支持部３５で一方・他方の目地プレート１０,１３を支持することができ、該一方・他方の目地プレート１０,１３に加重がかかる部位に最適に使用することができる。
【産業上の利用可能性】
【００３０】
本発明は目地装置を製造する産業で利用される。
【図面の簡単な説明】
【００３１】
【図１】本発明を実施するための最良の第１の形態の平面図。
【図２】本発明を実施するための最良の第１の形態の底面図。
【図３】図１の３−３線に沿う拡大断面図。
【図４】本発明を実施するための最良の第１の形態の支持アームの説明図。
【図５】本発明を実施するための最良の第１の形態の支持体の説明図。
【図６】本発明を実施するための最良の第１の形態の取付金具の説明図。
【図７】本発明を実施するための最良の第１の形態の一方の目地プレートの説明図。
【図８】本発明を実施するための最良の第１の形態のガイドレールの説明図。
【図９】本発明を実施するための最良の第１の形態の目地部が狭くなった動作説明の平面図。
【図１０】図９の１０−１０線に沿う拡大断面図。
【図１１】本発明を実施するための最良の第１の形態の目地部が広くなった動作説明図。
【図１２】本発明を実施するための第２の形態の平面図。
【図１３】図１２の１３−１３線に沿う拡大断面図。
【図１４】本発明を実施するための第２の形態の支持体の説明図。
【図１５】本発明を実施するための第３の形態の平面図。
【図１６】図１５の１６−１６線に沿う拡大断面図。
【図１７】本発明を実施するための第３の形態の支持体の説明図。
【図１８】本発明を実施するための第４の形態の平面図。
【図１９】本発明を実施するための第４の形態の底面図。
【図２０】図１８の２０−２０線に沿う拡大断面図。
【図２１】本発明を実施するための第５の形態の平面図。
【図２２】本発明を実施するための第５の形態の底面図。
【図２３】図２１の２３−２３線に沿う拡大断面図。
【符号の説明】
【００３２】
１、１Ａ、１Ｂ、１Ｃ、１Ｄ：目地装置、
２：目地部、                        ３：躯体、
４、４Ａ：ヒンジ部材          ５：ローラ、
６：支持アーム、              ７：棟部材、
８、８Ａ、８Ｂ、８Ｃ：支持体、      ９：取付金具、
１０：一方の目地プレート、    １１：支持杆、
１２：ガイドレール、          １３：他方の目地プレート、
１４、１４Ａ：付勢スプリング、１５：ストッパー片、
１６：付勢スプリング、        １７：アーム本体、
１８：枢支ピン、              １９：ビス、
２０：ローラ、                ２１、２１Ａ、２１Ｂ：支柱、
２２：支持板、                ２３：軸受、
２４：取付金具本体、          ２５：ビス等、
２６：ビス等の挿入孔、        ２７：軸、
２８：目地プレート本体、            ２９：軸受、
３０：軸、                    ３１：ガイドレール本体、
３２：軸、                    ３３：スプリング、
３４：可動支柱、              ３５：目地プレート支持部、
３６：枢支ピン。
【図１】
2006169904.tif 000003
【図２】
2006169904.tif 000004
【図３】
2006169904.tif 000005
【図４】
2006169904.tif 000006
【図５】
2006169904.tif 000007
【図６】
2006169904.tif 000008
【図７】
2006169904.tif 000009
【図８】
2006169904.tif 000010
【図９】
2006169904.tif 000011
【図１０】
2006169904.tif 000012
【図１１】
2006169904.tif 000013
【図１２】
2006169904.tif 000014
【図１３】
2006169904.tif 000015
【図１４】
2006169904.tif 000016
【図１５】
2006169904.tif 000017
【図１６】
2006169904.tif 000018
【図１７】
2006169904.tif 000019
【図１８】
2006169904.tif 000020
【図１９】
2006169904.tif 000021
【図２０】
2006169904.tif 000022
【図２１】
2006169904.tif 000023
【図２２】
2006169904.tif 000024
【図２３】
2006169904.tif 000025